(57)【要約】  本発明は、屈折眼精疲労、筋性眼精疲労及び中心窩抑制のそれぞれに対する矯正を提供する眼科レンズを提供する。
2010529491.tif 000002
【特許請求の範囲】
【請求項１】
光学ゾーンを含む眼科レンズであって、前記光学ゾーンの中央における付加度数の第１の領域と、眼精疲労矯正に有効な量のプリズムと、を備える、眼科レンズ。
【請求項２】
光学ゾーンを含む眼科レンズであって、前記光学ゾーンの中央における過剰矯正された近方視力矯正の第１の領域と、眼精疲労矯正に有効な量のプリズムと、を備える、眼科レンズ。
【請求項３】
前記眼科レンズが、コンタクトレンズである、請求項１に記載のレンズ。
【請求項４】
前記眼科レンズが、コンタクトレンズである、請求項２に記載のレンズ。
【請求項５】
遠方視力矯正領域を更に備える、請求項３に記載のレンズ。
【請求項６】
前記遠方視力矯正領域が、前記第１の付加度数領域を包囲する環状領域である、請求項５に記載のレンズ。
【請求項７】
付加度数の第２の領域を更に備える、請求項３に記載のレンズ。
【請求項８】
付加度数の前記第２の領域が、前記遠方視力矯正領域を包囲する環状領域である、請求項７に記載のレンズ。
【請求項９】
遠方視力矯正領域を更に備える、請求項４に記載のレンズ。
【請求項１０】
前記遠方視力矯正領域が、前記第１の近方視力領域を包囲する環状領域である、請求項９に記載のレンズ。
【請求項１１】
過剰矯正された近方視力矯正の第２の領域を更に備える、請求項４に記載のレンズ。
【請求項１２】
過剰矯正された近方視力領域の前記第２の領域が、前記遠方視力矯正領域を包囲する環状領域である、請求項１１に記載のレンズ。
【請求項１３】
前記プリズムが、前記第１の付加度数領域内に組み込まれている、請求項３に記載のレンズ。
【請求項１４】
前記プリズムが、前記遠方視力矯正領域内に組み込まれている、請求項５に記載のレンズ。
【請求項１５】
前記プリズムが、前記第１の付加度数領域及び前記遠方視力矯正領域内に組み込まれている、請求項５に記載のレンズ。
【請求項１６】
前記光学ゾーンが、偏心されている、請求項３に記載のレンズ。
【請求項１７】
前記プリズムが、前記第１の過剰矯正された近方視力領域内に組み込まれている、請求項４に記載のレンズ。
【請求項１８】
前記プリズムが、前記遠方視力矯正領域内に組み込まれている、請求項９に記載のレンズ。
【請求項１９】
前記プリズムが、前記第１の過剰矯正された近方視力矯正領域及び前記遠方視力矯正領域内に組み込まれている、請求項９に記載のレンズ。
【請求項２０】
前記光学ゾーンが、偏心されている、請求項４に記載のレンズ。
【請求項２１】
前記第１の付加度数矯正領域の前記度数が、前記領域内で実質的に一定である、請求項３に記載のレンズ。
【請求項２２】
前記第１の付加度数領域の前記度数が、前記領域の中央でピークを有し、前記度数が、前記ピークから前記ゾーンの周囲へと減少する、請求項３に記載のレンズ。
【請求項２３】
前記第１の過剰矯正された近方視力領域の前記度数が、前記領域内で実質的に一定である、請求項４に記載のレンズ。
【請求項２４】
前記第１の過剰矯正された近方視力領域の前記度数が、前記領域の中央でピークを有し、前記度数が、前記ピークから前記ゾーンの周囲へと減少する、請求項４に記載のレンズ。
【請求項２５】
光学ゾーンの中央における付加度数の第１の領域と、眼精疲労矯正に有効な量のプリズムと、を備える眼科レンズを提供する工程を含む、眼精疲労を矯正する方法。
【請求項２６】
光学ゾーンの中央における過剰矯正された近方視力矯正の第１の領域と、眼精疲労矯正に有効な量のプリズムと、を備える眼科レンズを提供する工程を含む、眼精疲労を矯正する方法。
【発明の詳細な説明】
【開示の内容】
【０００１】
〔技術分野〕
本発明は眼科レンズに関する。特に本発明は、視力矯正を提供し眼精疲労を実質的に取り除く眼科レンズを提供する。
【０００２】
〔背景技術〕
眼精疲労又は眼疲労は、多くの視覚障害によって生じる可能性がある。屈折眼精疲労では、屈折障害、主に目の適応能力の欠損によって、疲れ目になる。更に、筋性眼精疲労又は眼球運動及び位置調節の不完全さによって、眼疲労が生じる可能性がある。最後に、衝動性及び追跡眼球運動を乱し、凝視を遅らせる中心窩抑制が、眼精疲労の一因となる。従来のレンズデザインには、眼精疲労のこれらの原因のそれぞれに対処する矯正特徴は組み込まれていない。
【図面の簡単な説明】
【０００３】
【図１】本発明のレンズ表面の平面図。
【発明を実施するための形態】
【０００４】
本発明は、眼科レンズをデザインする方法、このデザイン方法によるレンズ及びレンズを製造する方法を提供し、レンズは、屈折眼精疲労、筋性眼精疲労及び中心窩抑制のそれぞれに対する矯正を提供する。本発明は、任意の眼科レンズ、すなわちコンタクトレンズ、眼内レンズ、角膜アンレーレンズなどを提供するために用いてもよいが、その最大の有用性は、コンタクトレンズのデザイン及び製造に見出すことができる。
【０００５】
一実施形態においては、本発明は、光学ゾーンを含み、実質的に光学ゾーンからなり、また光学ゾーンからなる眼科レンズであって、その中央における付加度数の第１の領域と、眼精疲労矯正に有効な量のプリズムと、を備える、眼科レンズを提供する。他の実施形態においては、本発明は、光学ゾーンを含み、実質的に光学ゾーンからなり、また光学ゾーンからなる眼科レンズであって、光学ゾーンの中央における過剰矯正された近方視力矯正の第１の領域と、眼精疲労矯正に有効な量のプリズムと、を備える、眼科レンズを提供する。更に他の実施形態においては、本発明は、眼科レンズを提供することを含み、実質的に眼科レンズを提供することからなり、また眼科レンズを提供することからなる眼精疲労を矯正する方法であって、その中央における付加度数の第１の領域と、眼精疲労矯正に有効な量のプリズムと、を備える、眼精疲労を矯正する方法を提供する。
【０００６】
本発明の目的上、「付加度数」によって、レンズ装着者の遠方視力の矯正に必要な度数に付加される屈折度数を意味する。「遠方視力矯正」によって、装着者の遠方視力を所望の程度まで矯正するのに必要な屈折力の量を意味する。「近方視力矯正」によって、装着者の近方視力を所望の程度まで矯正するのに必要な屈折力の量を意味する。「過剰矯正された近方視力矯正」によって、レンズ装着者の近方視力を矯正するのに必要であるものを超える近方視力矯正を意味する。
【０００７】
本発明のレンズでは、調節性眼精疲労は、非老眼レンズ装着者の場合には、付加度数の領域を配置することによって、又は老眼レンズ装着者の場合には、光学ゾーンの中央におけるレンズ装着者の焦点深度を増加させるための過剰矯正された近方視力矯正の領域を配置することによって対処される。付加度数の領域又は近方視力矯正の領域は、好ましくは光学ゾーンの中央の周囲に位置する環状領域であって、約１．５〜３．５ｍｍ、より好ましくは約１．９〜２．５ｍｍの直径を有する。
【０００８】
度数は領域内で一定であってもよく、又は領域の周囲へ移動するにつれて、すなわち光学ゾーンの中央から離れるにつれて、度数が減少する、領域の中央でピーク度数を有してもよい。好ましくは、遠方視力矯正に対する領域は、中央の付加又は近方視力矯正領域を包囲し、より好ましくは、遠方視力領域は環状リングである。図１は、光学ゾーン１１を備える本発明のレンズ１０を示し、光学ゾーン１１内では、付加度数領域１２は、環状の遠方視力矯正領域１３によって包囲されている。付加度数又は過剰矯正された近方視力矯正の更なる領域が、遠方視力矯正領域、好ましくは、遠方視力矯正領域を包囲する環状リングを包囲していてもよい。このような第２の領域を用いる場合、この領域は好ましくは、レンズの光軸中心から約４ｍｍの直径から始まって、光軸中心から約６ｍｍで終わり、より好ましくは、光軸中心から４．５〜６．５ｍｍの直径で配置される。
【０００９】
使用する付加度数又は過剰矯正された近方視力矯正の量は、焦点深度の所望の増加を実現するのに有効な量である。通常、度数の量は０．１２ジオプタの単位で与えられ、総度数は好ましくは、約０．１２〜１．０ジオプタである。用いるべき正確な量は、多くの既知の方法のいずれかによって計算することができる。一方でレンズ装着者に種々の試験的なレンズを試みさせながら、例えば、レンズ装着者のスルーフォーカス視力を、固定距離におけるターゲットを用いることによって測定してもよい。あるいは、また好ましくは、数学的眼球モデルを用いて、候補レンズデザインによって提供される視力を試験してもよい。グロルストランドレグランド（Gulolstrand-LeGrand）及びリウブレネン（Liou-Brennen）眼球モデルを含み、これらに限定されない任意の数の眼球モデルが知られている。変調伝達関数、２乗平均平方根スポットサイズ、眼視ストレールなどを含み、これらに限定されない視覚品質を計算する方法もよく知られている。
【００１０】
調節性眼精疲労に対する矯正に加えて、本発明のレンズは、レンズデザイン内にプリズムを組み込むことによって、筋性眼精疲労に対する矯正を提供する。プリズムは、例えばレンズ内にベースアップ又はベースダウンプリズムを加えること、光学ゾーンを偏心させること又はそれらの組み合わせによって提供してもよい。プリズムの量は、ベースアップ若しくはベースダウンプリズム又は偏心に対する大きさ及び方向の点で、眼精疲労矯正に有効な量、すなわちレンズ装着者の筋性眼精疲労を全体又は部分的に矯正するのに有効な量である。正確な量は人によって異なり、観測、検査及びパッチテストによって決定することによって、欠損を、斜位（例えば外斜位、内斜位、上斜位など）又は斜視（例えば異方視など）として特徴付けることができる。いったん特徴付けがされれば、障害の程度を、色融合方法を含み、これに限定されない任意の従来の方法によって測定することができる。
【００１１】
ベースアップ又はベースダウンプリズムを用いる場合、レンズ内に組み込まれるプリズムは、プリズムジオプタ又は方向とともに弧の分を有し、すなわちベースイン又はアウト及びベースアップ又はダウンを有する。プリズムは、レンズの近方及び遠方視力領域の一方又は両方に組み込んでもよい。更に、付加されるプリズムによって誘起されるいずれかの画像歪みを減らすか又は実質的に取り除くために、プリズム表面を非球面化することが望ましい場合がある。プリズムは、プリズムの総量が好ましくは、約０．２５〜約２．０ジオプタで、ベースダウン又はベースインプリズムの０．２５ジオプタの単位で提供してもよい。
【００１２】
あるいは、プリズムは、光学ゾーンを偏心させることによって提供してもよく、偏心によって中心窩抑制が治療される。中心窩抑制は、微小暗点の存在に起因して生じる場合があるが、衝動性及び追跡眼球運動を乱し、凝視を遅らせるように作用し、両眼融合を妨げる場合がある。偏心の量は、レンズ装着者の中心窩の非機能の程度に依存する。好都合なこととして、光学ゾーンを、レンズの光心から０．１ｍｍ単位で、好ましくは全体の偏心が約０．１〜約０．５ｍｍとなるように、偏心させてもよい。
【００１３】
本発明のレンズでは、付加度数又は近方視力及び遠方視力ゾーンは、レンズの前面又は物体側表面、背面又は眼球側表面上にあってもよく、前側と背面との間で分割されていてもよい。円柱度数を、装着者の乱視を矯正するために、レンズの背面又は凹部表面に提供してもよい。あるいは、円柱度数を、前面又は背面上で遠方及び付加又は近方視力の一方又は両方と組み合わせてもよい。
【００１４】
本発明において有用なコンタクトレンズは、好ましくはソフトコンタクトレンズである。ソフトコンタクトレンズは、このようなレンズの製造に適した任意の材料から作られたものを、好ましくは用いる。ソフトコンタクトレンズを形成するための例示的な材料としては、シリコーンエラストマー、シリコーン含有マクロマーが挙げられ、これらに限定することなく、米国特許第５，３７１，１４７号、同第５，３１４，９６０号及び同第５，０５７，５７８号（これらは、本明細書において参照により全体が組み込まれる）に開示されたもの、ヒドロゲル、シリコーン含有ヒドロゲル及びこれらの組み合わせが挙げられ、これらに限定されない。より好ましくは、表面はシロキサンであるか、又はシロキサン官能基含有し、例えば限定することなく、ポリジメチルシロキサンマクロマー、メタクリルオキシプロピルポリアルキルシロキサン及びこれらの混合物、シリコーンヒドロゲル又はヒドロゲル、例えばエタフィルコンＡである。
【００１５】
好ましいレンズ形成材料は、ポリ２−ヒドロキシエチルメタクリレートポリマーである。すなわち、ピーク分子量が約２５，０００〜約８０，０００、多分散性が１．５未満〜３．５未満でそれぞれあり、少なくとも１種の架橋可能な官能基が共有結合されているものである。この材料は、米国特許第６，８４６，８９２号に記載されている。なおこの文献は、本明細書において参照により全体が組み込まれる。眼内レンズの形成に適した材料としては、限定することなく、ポリメチルメタクリレート、ヒドロキシエチルメタクリレート、不活性透明プラスチック、シリコーン系ポリマーなど及びこれらの組み合わせが挙げられる。
【００１６】
レンズ形成材料の硬化は、既知の任意の手段によって行なってもよく、例えば、限定することなく、熱的、照射、化学的、電磁放射硬化など及びこれらの組み合わせである。好ましくは、レンズを成形する。これは紫外線を用いるか、又は可視光線の全スペクトルを用いて行なう。より具体的には、レンズ材料の硬化に適した正確な条件は、選択した材料及び形成すべきレンズに依存する。眼科レンズ、例えば、限定することなくコンタクトレンズに対する重合プロセスはよく知られている。好適なプロセスは、米国特許第５，５４０，４１０号に開示されており、本明細書において参照により全体が組み込まれる。
【００１７】
本発明のコンタクトレンズは、任意の従来方法によって形成されてもよい。例えば、光学ゾーンは、ダイアモンド切削によって形成されてもよく、又はダイアモンド切削して、本発明のレンズの形成に用いるモールドにしてもよい。その後、好適な液体樹脂をモールド間に配置し、樹脂を圧縮及び硬化して、本発明のレンズを形成する。あるいは、ゾーンは、ダイアモンド切削されてレンズボタンにしてもよい。
【００１８】
〔実施態様〕
（１）  光学ゾーンを含む眼科レンズであって、前記光学ゾーンの中央における付加度数の第１の領域と、眼精疲労矯正に有効な量のプリズムと、を備える、眼科レンズ。
（２）  光学ゾーンを含む眼科レンズであって、前記光学ゾーンの中央における過剰矯正された近方視力矯正の第１の領域と、眼精疲労矯正に有効な量のプリズムと、を備える、眼科レンズ。
（３）  前記眼科レンズが、コンタクトレンズである、実施態様１に記載のレンズ。
（４）  前記眼科レンズが、コンタクトレンズである、実施態様２に記載のレンズ。
（５）  遠方視力矯正領域を更に備える、実施態様３に記載のレンズ。
（６）  前記遠方視力矯正領域が、前記第１の付加度数領域を包囲する環状領域である、実施態様５に記載のレンズ。
（７）  付加度数の第２の領域を更に備える、実施態様３に記載のレンズ。
（８）  付加度数の前記第２の領域が、前記遠方視力矯正領域を包囲する環状領域である、実施態様７に記載のレンズ。
（９）  遠方視力矯正領域を更に備える、実施態様４に記載のレンズ。
（１０）  前記遠方視力矯正領域が、前記第１の近方視力領域を包囲する環状領域である、実施態様９に記載のレンズ。
（１１）  過剰矯正された近方視力矯正の第２の領域を更に備える、実施態様４に記載のレンズ。
（１２）  過剰矯正された近方視力領域の前記第２の領域が、前記遠方視力矯正領域を包囲する環状領域である、実施態様１１に記載のレンズ。
（１３）  前記プリズムが、前記第１の付加度数領域内に組み込まれている、実施態様３に記載のレンズ。
（１４）  前記プリズムが、前記遠方視力矯正領域内に組み込まれている、実施態様５に記載のレンズ。
（１５）  前記プリズムが、前記第１の付加度数領域及び前記遠方視力矯正領域内に組み込まれている、実施態様５に記載のレンズ。
（１６）  前記光学ゾーンが、偏心されている、実施態様３に記載のレンズ。
（１７）  前記プリズムが、前記第１の過剰矯正された近方視力領域内に組み込まれている、実施態様４に記載のレンズ。
（１８）  前記プリズムが、前記遠方視力矯正領域内に組み込まれている、実施態様９に記載のレンズ。
（１９）  前記プリズムが、前記第１の過剰矯正された近方視力矯正領域及び前記遠方視力矯正領域内に組み込まれている、実施態様９に記載のレンズ。
（２０）  前記光学ゾーンが、偏心されている、実施態様４に記載のレンズ。
（２１）  前記第１の付加度数矯正領域の前記度数が、前記領域内で実質的に一定である、実施態様３に記載のレンズ。
（２２）  前記第１の付加度数領域の前記度数が、前記領域の中央でピークを有し、前記度数が、前記ピークから前記ゾーンの周囲へと減少する、実施態様３に記載のレンズ。
（２３）  前記第１の過剰矯正された近方視力領域の前記度数が、前記領域内で実質的に一定である、実施態様４に記載のレンズ。
（２４）  前記第１の過剰矯正された近方視力領域の前記度数が、前記領域の中央でピークを有し、前記度数が、前記ピークから前記ゾーンの周囲へと減少する、実施態様４に記載のレンズ。
（２５）  光学ゾーンの中央における付加度数の第１の領域と、眼精疲労矯正に有効な量のプリズムと、を備える眼科レンズを提供する工程を含む、眼精疲労を矯正する方法。
（２６）  光学ゾーンの中央における過剰矯正された近方視力矯正の第１の領域と、眼精疲労矯正に有効な量のプリズムと、を備える眼科レンズを提供する工程を含む、眼精疲労を矯正する方法。
【図１】
2010529491.tif 000003
【国際調査報告】
2010529491.tif 000004
2010529491.tif 000005